(57)【特許請求の範囲】
【請求項１】
被写体を撮影する撮影部と、
前記撮影部により撮影が行われた撮影場所に関する撮影場所情報を取得する撮影場所情報取得部と、
前記撮影部が撮影した画像と、前記撮影場所情報取得部が取得した前記撮影場所情報とを対応付けて格納するデータ格納部と、
ユーザから地域の指定を受け付ける地域受付部と、
前記データ格納部に格納されている前記撮影場所情報を参照して、前記地域受付部が受け付けた前記地域内で撮影された前記画像を前記データ格納部から読み出して出力する地域内画像出力部と、
前記データ格納部に格納されている前記撮影場所情報を参照して、前記地域受付部が受け付けた前記地域内で撮影された前記画像の個数を表示する地域内画像数表示部と、
前記地域および当該地域に含まれる区域を対応付けて格納する区域情報格納部と、
前記地域受付部が受け付けた前記地域に対応付けられている前記区域を前記区域情報格納部から読み出してリスト表示する区域表示部と、
前記区域表示部がリスト表示した前記区域の指定を前記ユーザから受け付ける区域受付部と、
前記データ格納部に格納されている前記撮影場所情報を参照して、前記区域受付部が受け付けた前記区域内で撮影された前記画像を前記データ格納部から読み出して出力する区域内画像出力部と
を備える撮影装置。
【請求項２】
複数の前記地域の地域範囲を格納する地域範囲格納部と、
前記データ格納部に格納されている前記撮影場所情報と、前記地域範囲格納部に格納されている前記地域範囲とに基づいて、前記データ格納部に格納されている前記画像が撮影された地域を特定して表示する地域表示部と
をさらに備える請求項１に記載の撮影装置。
【請求項３】
前記地域範囲格納部は、前記複数の地域のそれぞれについて、予め定められた一定間隔で並ぶ緯線および経線の交点である仮想交点のうち、当該地域内に存在する仮想交点の緯度および経度を前記地域範囲として格納し、
前記地域表示部は、前記撮影場所情報に示される緯度および経度に最も近い仮想交点を求め、当該仮想交点の緯度および経度を含む前記地域範囲を求め、当該地域範囲に対応付けられている地域を、前記データ格納部に格納されている前記画像が撮影された地域として特定する請求項２に記載の撮影装置。
【請求項４】
前記地域受付部は、前記地域表示部が表示した地域のいずれかの入力を前記ユーザから受け付ける請求項２または３に記載の撮影装置。
【請求項５】
前記区域情報格納部は、複数の前記区域のそれぞれについて、予め定められた一定間隔で並ぶ緯線および経線の交点である仮想交点のうち、当該区域内に存在する仮想交点の緯度および経度を区域範囲として格納し、
前記区域内画像出力部は、前記データ格納部に格納されている前記撮影場所情報と、前記区域情報格納部に格納されている前記区域範囲とに基づいて、前記区域受付部が受け付けた前記区域内で撮影された前記画像を前記データ格納部から読み出して出力する請求項１乃至４のいずれかに記載の撮影装置。
【請求項６】
複数の地図を格納する地図格納部と、
前記地域受付部が受け付けた前記地域に対応する前記地図を前記地図格納部から読み出す地図読出部と、
前記地域受付部が受け付けた前記地域内で撮影された前記画像に対応する前記撮影場所情報を前記データ格納部から読み出す撮影場所情報読出部と、
前記地図読出部が読み出した前記地図を表示すると共に、前記撮影場所情報読出部が読み出した前記撮影場所情報に基づいて前記撮影場所を示す可視情報を前記地図中に表示する地図表示部と
をさらに備える請求項１乃至５のいずれかに記載の撮影装置。
【請求項７】
前記地図表示部が表示した前記撮影場所の中から少なくとも１つの前記撮影場所の指定を前記ユーザから受け付ける撮影場所指定部と、
前記撮影場所指定部において前記ユーザが指定した前記撮影場所に対応する前記画像を前記データ格納部から読み出して出力する指定画像出力部と
をさらに備える請求項６に記載の撮影装置。
【請求項８】
前記撮影場所情報取得部は、移動体通信システムの無線基地局または無線中継局と無線通信を行うことにより前記撮影場所情報を取得する請求項１に記載の撮影装置。
【請求項９】
前記撮影場所情報取得部は、衛星航法システムを利用して、前記撮影場所情報を取得する請求項１に記載の撮影装置。
【請求項１０】
被写体を撮影する撮影段階と、
前記撮影段階で撮影が行われた撮影場所に関する撮影場所情報を取得する撮影場所情報取得段階と、
前記撮影段階で撮影された画像と、前記撮影場所情報取得段階で取得された撮影場所に関する前記撮影場所情報とを対応付けてデータ格納部に格納するデータ格納段階と、
ユーザから地域の指定を受け付ける地域受付段階と、
前記データ格納部に格納されている前記撮影場所情報を参照して、前記地域受付段階で受け付けた前記地域内で撮影された前記画像を前記データ格納部から読み出して出力する地域内画像出力段階と、
前記データ格納部に格納されている前記撮影場所情報を参照して、前記地域受付段階で受け付けた前記地域内で撮影された前記画像の個数を表示する地域内画像数表示段階と、
前記地域および当該地域に含まれる区域を対応付けて格納する区域情報格納部から、前記地域受付段階で受け付けた前記地域に対応付けられている前記区域を読み出してリスト表示する区域表示段階と、
前記区域表示段階でリスト表示した前記区域の指定を前記ユーザから受け付ける区域受付段階と、
前記データ格納部に格納されている前記撮影場所情報を参照して、前記区域受付段階で受け付けた前記区域内で撮影された前記画像を前記データ格納部から読み出して出力する区域内画像出力段階と
を備える画像取扱方法。
【請求項１１】
前記データ格納部に格納されている前記撮影場所情報と、地域範囲格納部に格納されている複数の前記地域の地域範囲とに基づいて、前記データ格納部に格納されている前記画像が撮影された地域を特定して表示する地域表示段階
をさらに備える請求項１０に記載の画像取扱方法。
【請求項１２】
複数の地図を格納する地図格納部から、前記地域受付段階で受け付けた前記地域に対応する前記地図を読み出す地図読出段階と、
前記地域受付段階で受け付けた前記地域内で撮影された前記画像に対応する前記撮影場所情報を前記データ格納部から読み出す撮影場所情報読出段階と、
前記地図読出段階で読み出した前記地図を表示すると共に、前記撮影場所情報読出段階で読み出した前記撮影場所情報に基づいて前記撮影場所を示す可視情報を前記地図中に表示する地図表示段階と
をさらに備える請求項１０または１１に記載の画像取扱方法。
【請求項１３】
前記地図表示段階で表示した前記撮影場所の中から少なくとも１つの前記撮影場所の指定を前記ユーザから受け付ける撮影場所指定段階と、
前記撮影場所指定段階で前記ユーザが指定した前記撮影場所に対応する前記画像を前記データ格納部から読み出して出力する指定画像出力段階と
をさらに備える請求項１２に記載の画像取扱方法。
【請求項１４】
コンピュータに、
被写体を撮影する撮影手順と、
前記撮影手順で撮影が行われた撮影場所に関する撮影場所情報を取得する撮影場所情報取得手順と、
前記撮影手順により撮影された画像と、前記撮影場所情報取得手順により取得された撮影場所に関する前記撮影場所情報とを対応付けてデータ格納部に格納するデータ格納手順と、
ユーザから地域の指定を受け付ける地域受付手順と、
前記データ格納部に格納されている前記撮影場所情報を参照して、前記地域受付手順で受け付けた前記地域内で撮影された前記画像を前記データ格納部から読み出して出力する地域内画像出力手順と、
前記データ格納部に格納されている前記撮影場所情報を参照して、前記地域受付手順で受け付けた前記地域内で撮影された前記画像の個数を表示する地域内画像数表示手順と、
前記地域および当該地域に含まれる区域を対応付けて格納する区域情報格納部から、前記地域受付手順で受け付けた前記地域に対応付けられている前記区域を読み出してリスト表示する区域表示手順と、
前記区域表示手順でリスト表示した前記区域の指定を前記ユーザから受け付ける区域受付手順と、
前記データ格納部に格納されている前記撮影場所情報を参照して、前記区域受付手順で受け付けた前記区域内で撮影された前記画像を前記データ格納部から読み出して出力する区域内画像出力手順と
を実行させるためのプログラムを記録したコンピュータ読取可能な記録媒体。
【請求項１５】
前記コンピュータに、
前記データ格納部に格納されている前記撮影場所情報と、地域範囲格納部に格納されている複数の前記地域の地域範囲とに基づいて、前記データ格納部に格納されている前記画像が撮影された地域を特定して表示する地域表示手順
をさらに実行させるためのプログラムを記録した請求項１４に記載の記録媒体。
【請求項１６】
前記コンピュータに、
複数の地図を格納する地図格納部から、前記地域受付手順で受け付けた前記地域に対応する前記地図を読み出す地図読出手順と、
前記地域受付手順で受け付けた前記地域内で撮影された前記画像に対応する前記撮影場所情報を前記データ格納部から読み出す撮影場所情報読出手順と、
前記地図読出手順で読み出した前記地図を表示すると共に、前記撮影場所情報読出手順で読み出した前記撮影場所情報に基づいて前記撮影場所を示す可視情報を前記地図中に表示する地図表示手順と
をさらに実行させるためのプログラムを記録した請求項１４または１５に記載の記録媒体。
【請求項１７】
前記コンピュータに、
前記地図表示手順で表示した前記撮影場所の中から少なくとも１つの前記撮影場所の指定を前記ユーザから受け付ける撮影場所指定手順と、
前記撮影場所指定手順で前記ユーザが指定した前記撮影場所に対応する前記画像を前記データ格納部から読み出して出力する指定画像出力手順と
をさらに実行させるためのプログラムを記録した請求項１６に記載の記録媒体。
【発明の詳細な説明】
【０００１】
【発明の属する技術分野】
本発明は、撮影装置、画像取扱方法及びコンピュータ読取可能な記録媒体に関する。特に本発明は、画像が撮影された撮影場所の情報を取得する撮影装置、画像取扱方法及びコンピュータ読取可能な記録媒体に関する。
【０００２】
【従来の技術】
従来、被写体を撮影して得られた画像を内蔵又は着脱可能な記録媒体に保存でき、また、記録媒体に保存されている画像を再生できる撮影装置が知られている。このような撮影装置において、画像の再生は、例えば各々の画像が撮影された順に行っている。
【０００３】
【発明が解決しようとする課題】
ところで、近年、撮像装置が備える記憶媒体の容量が増大したため、その記憶媒体に格納できる画像数も増大している。このために、撮影された順に画像を記憶媒体から読み出して再生していたのでは、記憶媒体に格納されている多数の画像の中から希望の画像を見つけだして再生することが困難となっている。
【０００４】
そこで本発明は、上記の課題を解決することのできる撮影装置、画像取扱方法及びコンピュータ読取可能な記録媒体を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態に係る撮影装置は、被写体を撮影する撮影部と、撮影が行われた撮影場所に関する撮影場所情報を取得する撮影場所情報取得部と、
撮影部が撮影した画像と、撮影場所情報取得部が取得した撮影場所情報とを対応付けて格納するデータ格納部と、ユーザから地域の指定を受け付ける地域受付部と、データ格納部に格納されている撮影場所情報を参照して、地域受付部が受け付けた地域内で撮影された画像をデータ格納部から読み出して出力する地域内画像出力部とを備える。
【０００６】
この撮影装置は、データ格納部に格納されている撮影場所情報を参照して、地域受付部が受け付けた地域内で撮影された画像の個数を表示する地域内画像数表示部を備えてもよい。
【０００７】
また、この撮影装置は、複数の地域の地域範囲を格納する地域範囲格納部と、データ格納部に格納されている撮影場所情報と、地域範囲格納部に格納されている地域範囲とに基づいて、データ格納部に格納されている画像が撮影された地域を特定して表示する地域表示部とをさらに備えてもよい。この場合、地域名受付部は、地域表示部が表示した地域のいずれかの入力をユーザから受け付けることが好ましい。
【０００８】
また、この撮影装置は、地域受付部が受け付けた地域の一部である区域の指定をユーザから受け付ける区域受付部と、データ格納部に格納されている撮影場所情報を参照して、区域受付部が受け付けた区域内で撮影された画像をデータ格納部から読み出して出力する区域内画像出力部とをさらに備えてもよい。この場合、撮影装置は、地域及び当該地域に含まれる区域を対応付けて格納する区域情報格納部と、地域受付部が受け付けた地域に対応付けられている区域を区域情報格納部から読み出して表示する区域表示部とをさらに備えることが好ましい。また、区域受付部は、区域表示部が表示した区域のいずれかの入力を受け付けることが好ましい。
【０００９】
本発明の第１の形態に係る撮影装置は、複数の地図を格納する地図格納部と、ユーザから地域の指定を受け付ける地域受付部と、地域受付部が受け付けた地域に対応する地図を地図格納部から読み出す地図読出部と、地域受付部が受け付けた地域内で撮影された画像に対応する撮影場所情報をデータ格納部から読み出す撮影場所情報読出部と、地図読出部が読み出した地図を表示すると共に、撮影場所情報読出部が読み出した撮影場所情報に基づいて撮影場所を示す可視情報を地図中に表示する地図表示部とをさらに備えてもよい。
【００１０】
上記の場合、撮影装置は、地図表示部が表示した撮影場所の中から少なくとも１つの撮影場所の指定をユーザから受け付ける撮影場所指定部と、撮影場所指定部においてユーザが指定した撮影場所に対応する画像をデータ格納部から読み出して出力する指定画像出力部とをさらに備えてもよい。
【００１１】
本発明の第１の形態に係る撮影装置において、撮影場所情報取得部は、移動体通信システムの無線基地局又は無線中継局と無線通信を行うことにより撮影場所情報を取得してもよく、あるいは、衛星航法システムを利用して、撮影場所情報を取得してもよい。
【００１２】
本発明の第２の形態に係る画像取扱方法は、被写体を撮影する撮影段階と、撮影が行われた撮影場所に関する撮影場所情報を取得する撮影場所情報取得段階と、撮影段階で撮影された画像と、撮影場所情報取得段階で取得された撮影場所に関する撮影場所情報とを対応付けて格納するデータ格納段階とを備える。
【００１３】
また、本発明の第３の形態に係るコンピュータ読取可能な記録媒体は、コンピュータに、被写体を撮影する撮影手順と、撮影が行われた撮影場所に関する撮影場所情報を取得する撮影場所情報取得手順と、撮影手順により撮影された画像と、撮影場所情報取得手順により取得された撮影場所に関する撮影場所情報とを対応付けて格納するデータ格納手順とを実行させるプログラムを記録している。
【００１４】
本発明の第４の形態に係る撮影装置は、複数の地域の地域範囲を格納する地域範囲格納部と、被写体を撮影する撮影部と、撮影が行われた撮影場所に関する撮影場所情報を取得する撮影場所情報取得部と、撮影場所情報取得部が取得した撮影場所情報と、地域範囲格納部に格納されている地域範囲とに基づいて、撮影場所に対応する地域を特定する撮影地域特定部と、撮影部が撮影した画像と、撮影地域特定部が特定した地域とを対応付けて格納するデータ格納部とを備える。
【００１５】
上記撮影装置は、ユーザから前記地域の指定を受け付ける地域受付部と、地域受付部が受け付けた地域内で撮影された画像をデータ格納部から読み出して出力する地域内画像出力部とをさらに備えることが好ましい。
【００１６】
本発明の第５の形態に係る画像取扱方法は、複数の地域の地域範囲を格納する地域範囲格納段階と、被写体を撮影する撮影段階と、撮影が行われた撮影場所に関する撮影場所情報を取得する撮影場所情報取得段階と、撮影場所情報取得段階で取得した撮影場所情報と、地域範囲格納段階で格納された地域範囲とに基づいて、撮影場所に対応する地域を特定する撮影地域特定段階と、撮影段階で撮影した画像と、撮影地域特定段階で特定した地域とを対応付けて格納するデータ格納段階とを備える。
【００１７】
本発明の第６の形態に係るコンピュータ読取可能な記録媒体は、コンピュータに、複数の地域の地域範囲を格納する地域範囲格納手順と、被写体を撮影する撮影手順と、撮影が行われた撮影場所に関する撮影場所情報を取得する撮影場所情報取得手順と、撮影場所情報取得手順により取得した撮影場所情報と、地域範囲格納手順により格納された地域範囲とに基づいて、撮影場所に対応する地域を特定する撮影地域特定手順と、撮影手順により撮影し画像と、撮影地域特定手順が特定した地域とを対応付けて格納するデータ格納機能とを実行させるためのプログラムを記録している。
【００１８】
なお上記の発明の概要は、本発明の必要な特徴の全てを列挙したものではなく、これらの特徴群のサブコンビネーションも又発明となりうる。
【００１９】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００２０】
図１は、本発明の第１実施形態に係る撮影装置１００の機能ブロック図である。撮影装置１００は、撮影部１０４と、撮影場所情報取得部１１０と、データ格納部１０８とを有する。撮影部１０４は、被写体を撮影してその被写体の画像を出力する。撮影部１０４が撮影する画像は、静止画であってもよく、また、動画であってもよい。撮影場所情報取得部１１０は、撮影部１０４が撮影を行う度に、撮影が行われた撮影場所に関する撮影場所情報を取得する。本実施形態の場合、撮影場所情報取得部１１０は、衛星航法システム(Global Positioning System, GPS) を利用して、撮影場所の緯度、経度を撮影場所情報として取得する。データ格納部１０８は、撮影部１０４が出力した画像と、撮影場所情報取得部１１０が取得した撮影場所情報とを対応付けて格納する。
【００２１】
撮影装置１００は、さらに、地域範囲格納部１０２、地域表示部１０６、地域受付部１１２、地域内画像数表示部１１４、及び地域内画像出力部１２０を有する。地域範囲格納部１０２は、複数の地域についてそれぞれの地域範囲を格納する。本実施形態では、地域範囲格納部１０２は、予め定められた一定間隔で並ぶ緯線及び経線の交点（以下、仮想交点という）のうち、対象となっている地域内に存在する仮想交点の緯度、経度を地域範囲として格納する。
【００２２】
地域表示部１０６は、地域範囲格納部１０２に格納されている地域範囲と、データ格納部１０８に格納されている撮影場所情報とに基づいて、データ格納部１０８に格納されている画像が撮影された地域を特定する。本実施形態の場合、地域表示部１０６は、はじめに撮影場所情報に示される緯度、経度に最も近い仮想交点を求める。次に、地域表示部１０６は、求めた仮想交点の緯度、経度を含む地域範囲を求める。そして、地域表示部１０６は、地域範囲に対応付けられている地域を画像が撮影された地域と特定する。
【００２３】
画像が撮影された地域を特定した後、地域表示部１０６は、特定した地域をＬＣＤモニタ等のディスプレイに表示する。複数の地域を特定した場合、地域表示部１０６は、例えば、それら地域の名称等、地域を特定できる文字情報をリスト表示する。これにより、ユーザは、画像が撮影された各地域を知ることができる。
【００２４】
地域受付部１１２は、見たい画像が撮影された地域の指定をユーザから受け付ける。本実施形態の場合、地域受付部１１２は、地域表示部１０６が表示した地域のいずれかの入力をユーザから受け付ける。したがって、本実施形態では、画像が撮影されていない地域をユーザが指定することはない。
【００２５】
地域内画像数表示部１１４は、データ格納部１０８に格納されている撮影場所情報と、地域範囲格納部１０２に格納されている地域情報とを利用して、地域受付部１１２が受け付けた地域内で撮影されている画像の個数を求める。また、地域内画像数表示部１１４は、求めた画像の個数を表示する。したがって、本実施形態では、ある地域内で過去にいくつの画像を撮影したかをユーザが容易に知ることができる。
【００２６】
地域内画像出力部１２０は、指定した地域内の画像を出力すべき旨の要求がユーザからあった場合に、ユーザが地域受付部１１２に指定した地域内で撮影されている画像を特定する。画像の特定は、データ格納部１０８に格納されている撮影場所情報と、地域範囲格納部１０２に格納されている地域範囲とに基づいて行われる。そして、地域内画像出力部１２０は、特定された画像をデータ格納部１０８から読み出して、例えば、ＬＣＤモニタ等のディスプレイに表示する。
【００２７】
撮影装置１００は、さらに、区域情報格納部１１６、区域表示部１１８、区域受付部１２２、及び区域内画像出力部１２４を有する。区域情報格納部１１８は、地域、その地域に含まれる区域、及びその区域の区域範囲を対応付けて格納する。本実施形態では、区域情報格納部１１８は、各区域内に存在する仮想交点の緯度、経度を各区域の区域範囲として区域範囲格納部１０２に格納する。
【００２８】
区域表示部１１８は、地域受付部１１２で指定した地域内の区域で撮影されている画像の表示をユーザが要求した場合に、地域受付部１１２が受け付けた地域に対応付けられている区域を区域情報格納部１１８から読み出してリスト表示する。区域受付部１２４は、地域受付部１１２が受け付けた地域内の区域の指定をユーザから受け付ける。本実施形態の場合、区域受付部１２４は、区域表示部１２０が表示した区域のいずれかの入力を受け付ける。
【００２９】
区域内画像出力部１２４は、データ格納部１０８に格納されている撮影場所情報と、区域情報格納部１１６に格納されている区域範囲とに基づいて、区域受付部１２２においてユーザが指定した地域内で撮影されている画像を特定する。そして、区域内画像出力部１２４は、特定した画像をデータ格納部１０８から読み出して、例えば、ＬＣＤモニタ等のディスプレイに表示する。
【００３０】
図２は、本発明の第１実施形態において、データ格納部１０８、地域範囲格納部１０２、及び区域情報格納部１１６の各々が格納する情報の内容を示す。図２（ａ）に示すように、データ格納部１０８は、画像と、その画像が撮影された撮影場所に関する撮影場所情報とを対応付けて格納する。また、地域範囲格納部０２は、図２（ｂ）に示すように、地域と、その地域の地域範囲とを対応付けて格納する。さらに、区域情報格納部１１６は、図２（ｃ）に示すように、地域と、その地域に含まれる区域と、その区域の区域範囲とを対応付けて格納する。
【００３１】
図３は、本発明の第１実施形態に係る撮影装置１００の動作を示すフローチャートである。本実施形態では、ユーザが撮影装置１００において撮影モードを選択し（Ｓ１０２：Ｙ）、レリーズスイッチ等を押下すると、撮影部１０４が被写体を撮影する（Ｓ１０４）。また、撮影場所情報取得部１１０が、撮影場所情報を取得する（Ｓ１０６）。さらに、データ格納部１０８が、撮影部１０４が出力した画像と、撮影場所情報取得部１１０が取得した撮影場所情報とを対応付けて格納する（Ｓ１０８）。
【００３２】
一方、ユーザが撮影装置１００において再生モードを選択すると（Ｓ１１０：Ｙ）、地域表示部１０６が、データ格納部に格納されている画像が撮影された地域を表示する（Ｓ１１２）。次に、地域受付部１１２が、地域の指定をユーザから受け付ける（Ｓ１１４）。さらに、地域内画像数表示部１１４が、ユーザが指定した地域内で撮影されている画像の個数を表示する（Ｓ１１６）。
【００３３】
次に、ユーザが地域内画像出力部１２０に対して画像の出力を要求すると、その要求に応じて、地域内画像出力部１２０が、ユーザが指定した地域内で撮影されている画像を出力する（Ｓ１１８：Ｙ、Ｓ１２０）。
【００３４】
一方、ユーザが区域表示部１１８に対して区域の表示を要求をすると、その要求に応じて、区域表示部１１８が、ユーザが指定している地域に含まれる区域を表示する（Ｓ１２２：Ｙ、Ｓ１２４）。次に、区域受付部１２２が、ユーザから区域の指定を受け付ける（Ｓ１２６）。次に、区域内画像出力部１２４が、ユーザの要求に応じて、ユーザが指定した区域内で撮影されている画像をデータ格納部１０８から読み出して出力する（Ｓ１２８）。
【００３５】
以上説明したように、本実施形態では、ユーザが地域受付部１０６に地域を指定すると、地域内画像数表示部１１４が、データ格納部１０８が格納している画像のうち指定された地域内で撮影された画像の個数を表示する。したがって、ユーザは、特定の地域で撮影された画像の個数を容易に知ることができる。
【００３６】
また、本実施形態では、ユーザが指定した地域内で撮影された画像の表示を要求すると、地域内画像出力部１２０が、対応する画像をデータ格納部１０８から読み出して表示する。したがって、データ格納部１０８に多数の画像が格納されている場合であっても、ユーザは、特定の地域で撮影された画像を容易に見ることができる。
【００３７】
また、本実施形態では、地域内画像出力部１２０に画像の表示を求める代わりに、さらに、区域受付部１２２に区域を指定すると、区域内画像出力部１２４がデータ格納部１０８に格納されている画像のうち、ユーザが指定する区域で撮影された画像を読み出して表示する。したがって、ユーザは、例えば、ある地域で撮影されている画像の個数が多い場合に、その地域内のより狭い範囲である区域を指定することにより、表示対象となる画像の個数を抑制できる。
【００３８】
図４は、本発明の第２実施形態に係る撮影装置２００の機能ブロック図である。図４において、第１実施形態で用いたのと同一の符号が付されている機能ブロックは、第１実施形態でその符号が付されている機能ブロックと同一の機能を有する。
【００３９】
撮影装置２００は、被写体を撮影する撮影部１０４と、撮影場所情報を取得する撮影場所情報取得部１１０と、画像及び撮影場所情報を対応付けて格納するデータ格納部１０８とを有する。また、撮影部２００は、地域毎に地域範囲情報を格納する地域範囲情報格納部１０２と、データ格納部１０８に格納されている画像が撮影された地域を表示する地域表示部１０６と、ユーザから地域の指定を受け付ける地域受付部１１２とを有する。
【００４０】
また、撮影装置２００は、地図格納部２０８、地図読出部２０４、撮影場所情報読出部２０２、及び地図表示部２０６を有する。地図格納部２０８は、複数の地域の地図を格納する。地図読出部２０４は、地域受付部が受け付けた地域に対応する地図を地図格納部２０８から読み出す。撮影場所情報読出部２０２は、データ格納部１０８に格納されている撮影場所情報と、地域情報格納部１０２に格納されている地域範囲とに基づいて、地域受付部１１２が受け付けた地域内で撮影されている画像を特定する。そして、撮影場所情報読出部２０２は、特定した画像をデータ格納部１０８から読み出す。地図表示部２０６は、地図読出部２０４が読み出した地図に基づく地図を表示する。また、地図表示部２０６は、撮影場所情報読出部２０２が読み出した撮影場所情報に基づいて、撮影場所を指示する矢印等、撮影場所を示す可視情報を地図中に表示する。これにより、ユーザは、表示された地図中のどの場所で撮影が行われたかを知ることができる。
【００４１】
撮影装置２００は、さらに、撮影場所指定部２１０および指定画像出力部２１２を有する。撮影場所指定部２１０は、地図表示部２０６が表示した撮影場所の中から少なくとも１つの撮影場所の指定をユーザから受け付ける。また、指定画像出力部２１２は、撮影場所指定部２１０においてユーザが指定した撮影場所に対応する画像をデータ格納部１０８から読み出して出力する。本実施形態の場合、指定画像出力部２１２は、読み出した画像をＬＣＤモニタ等に表示する。
【００４２】
図５は、本発明の第２実施形態において、地図格納部２０８が格納する情報の内容を示す。図示にように、地図格納部２０８は、地域と、その地域に対応する地図を対応付けて格納する。
【００４３】
図６は、本発明の第２実施形態に係る撮影装置２００の動作を示すフローチャートである。本実施形態では、ユーザが撮影装置２００において撮影モードを選択し（Ｓ２０２：Ｙ）、レリーズスイッチ等を押下すると、撮影部１０４が被写体を撮影する（Ｓ２０４）。また、撮影場所情報取得部１１０が、撮影場所情報を取得する（Ｓ２０６）。さらに、データ格納部１０８が、撮影部１０４が出力した画像と、撮影場所情報取得部１１０が取得した撮影場所情報とを対応付けて格納する（Ｓ２０８）。
【００４４】
一方、ユーザが撮影装置２００において再生モードを選択すると（Ｓ２１０：Ｎ）、地域表示部１０６が、データ格納部１０８に格納されている画像が撮影された地域を表示する（Ｓ２１２）。次に、地域受付部１１２が、地域の指定をユーザから受け付ける（Ｓ２１４）。次に、地図読出部２０４が、ユーザが指定した地域の地図を地図格納部２０８から読み出す（Ｓ２１６）。また、撮影場所情報読出部２０２が、ユーザが指定した地域で撮影されている画像の撮影場所情報をデータ格納部１０８から読み出す（Ｓ２１８）。次に、地図表示部２０６が、地図読出部２０４が読み出した地図を表示すると共に、その地図中の撮影が行われた位置に可視情報を表示する（Ｓ２２０）。次に、撮影場所指定部２１０が撮影場所の指定をユーザから受け付ける（Ｓ２１０）。ユーザが撮影場所を指定すると、指定画像出力部２１２が、指定された撮影場所で撮影された画像をデータ格納部１０８から読み出して出力する（Ｓ２１２）。
【００４５】
以上説明したように、本実施形態では、ユーザが地域受付部１１２に地域を指定すると、地図表示部２０６が指定された地図と、その地図中の撮影場所を表示する。したがって、ユーザは、データ格納部１０８に格納されている画像がどこで撮影されたかを容易に認識できる。さらに、本実施形態では、地図表示部が表示した撮影場所の中からいずれかを選択して指定すると、指定画像出力部２１２が指定された撮影場所で撮影された画像をデータ格納部１０８から読み出し出力する。つまり、ユーザは、表示されている地図と、その地図の中に表示されている撮影場所に基づいて、撮影装置に出力させたい画像を容易に選択できる。
【００４６】
図７は、本発明の第３実施形態に係る撮影装置３００の機能ブロック図である。図７おいて、第１実施形態で用いたのと同一の符号が付されている機能ブロックは、第１実施形態でその符号が付されている機能ブロックと同一の機能を有する。
【００４７】
撮影装置３００は、被写体を撮影する撮影部１０４と、撮影場所情報を取得する撮影場所情報取得部１１０と、地域毎に地域範囲情報を格納する地域範囲情報格納部１０２とを有する。また、撮影装置３００は、撮影場所情報取得部１１０が取得した撮影場所情報と、地域範囲格納部１０２に格納されている地域範囲とに基づいて、撮影が行われた場所がある地域（以下、撮影地域という）を特定する撮影地域特定部３０６を有する。さらに、撮影装置３００は、撮影部が撮影した画像と、撮影地域を対応付けて格納するデータ格納部３０４とを有する。
【００４８】
また、撮影部２００は、データ格納部３０４に格納されている撮影地域をリスト表示する地域表示部３０２と、地域表示部３０２が表示した撮影地域のいずれかの入力を受け付ける地域受付部１１２とを有する。さらに、撮影装置３００は、ユーザが指定した撮影地域に対応付けられている画像をデータ格納部３０４から読み出して出力する地域内画像出力部３０８を有する。
【００４９】
以上説明したように、本実施形態の撮影装置３００は、データ格納部１０８が、画像データと撮影地域とを対応付けて格納する。このために、地域表示部３０２は、データ格納部３０４に格納されている画像が撮影された地域を特定するために、地域範囲格納部１０２に格納されている地域範囲を参照する必要がない。したがって、地域表示部３０２は、第１実施形態の地域表示部１０６より迅速に、データ格納部１０８に格納されている画像が撮影された撮影地域を表示できる。また、同様の理由により、地域内画像出力部３０８も、第１実施形態の地域内画像出力部１２０よりも迅速に、ユーザが指定した撮影地域で撮影された画像をデータ格納部１０８から読み出し出力できる。
【００５０】
図８は、カメラ及びＧＰＳ装置を備えたコンピュータ４００のハードウェア構成の一例を示すブロック図である。第１から第３までの実施形態で説明した本発明に係る撮影装置は、例えば図８に図示したコンピュータ４００によって実現することができる。
【００５１】
コンピュータ４００は、ＣＰＵ４０２と、ＣＰＵ４０２が実行すべきプログラムを格納するＲＯＭ４０６及びＲＡＭ４０８を有する。また、コンピュータ４００は、ユーザが種々の指示を入力できる入力装置４０４と、画像等を表示できるディスプレイ４１０とを有する。さらにコンピュータ４００は、画像やプログラム等を格納するハードディスクドライブ４１２と、フロッピーディスク４１８と、フロッピーディスクドライブ４１４とを有する。さらに、コンピュータ４００は、被写体を撮影するカメラ４１６と、衛星航法システムを利用して現在位置を特定するＧＰＳ装置４２０とを有する。
【００５２】
ＣＰＵ４０２は、ＲＯＭ４０６又はＲＡＭ４０８に格納されているプログラムに従いカメラ４１６、ＧＰＳ装置４２０等、コンピュータ４００を構成する他の要素を制御することにより、第１、第２、又は第３実施形態で説明した撮像装置の各機能を実現する。ＣＰＵ４０２が実行すべきプログラムは、予めＲＯＭ４０６又はハードディスクドライブ４１２に格納されていてもよく、あるいは、フロッピーディスク４１８によりコンピュータ４００に提供されてもよい。なお、フロッピーディスク４１８は、コンピュータがデータを読み取ることができる記憶媒体の一例である。したがって、ＣＰＵ４０２が実行すべきプログラムは、フロッピーディスク４１８の代わりに、例えば、ＣＤ−ＲＯＭ、ＤＶＤ等の光学的記録媒体、ＭＤ等の磁気的記録媒体、ＩＣカード等の半導体メモリなどにより提供されてもよい。
【００５３】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００５４】
例えば、撮影場所情報取得部１１０は、移動体通信システムの無線基地局又は無線中継局と無線通信を行うことにより撮影場所情報を取得する装置であってもよい。この場合、撮影場所情報取得部１１０は、「東京都世田谷区駒沢○○丁目○○番地○○号」等、無線基地局又は無線中継局が特定した撮影場所の住所を撮影場所情報として取得してもよい。あるいは、撮影場所情報取得部１１０は、撮影場所を含む領域の名称、俗称、又は撮影場所の近くにある著名な領域、場所、建築物、記念碑等の名称、俗称、若しくはその住所を撮影場所情報として無線基地局又は無線中継局から取得してもよい。さらに、撮影場所情報取得部１１０は、無線基地局又は無線中継局の所在地に関する情報を撮影場所情報として無線基地局又は無線中継局から取得してもよい。
【００５５】
【発明の効果】
上記説明から明らかなように、本発明によれば、画像及び撮影場所情報を対応付けてデータ格納部に格納するので、データ格納部に格納されている画像の中から、撮影場所情報に基づいて、希望の画像を容易に特定して再生することができる。
【図面の簡単な説明】
【図１】本発明の第１実施形態に係る撮影装置１００の機能ブロック図である。
【図２】本発明の第１実施形態において、データ格納部１０８、地域範囲格納部１０２、及び区域情報格納部１１６の各々が格納する情報の内容を示す。
【図３】本発明の第１実施形態に係る撮影装置１００の動作を示すフローチャートである。
【図４】本発明の第２実施形態に係る撮影装置２００の機能ブロック図である。
【図５】本発明の第２実施形態において、地図格納部２０８が格納する情報の内容を示す。
【図６】本発明の第２実施形態に係る撮影装置２００の動作を示すフローチャートである。
【図７】本発明の第３実施形態に係る撮影装置３００の機能ブロック図である。
【図８】カメラ及びＧＰＳ装置を備えたコンピュータ４００のハードウェア構成の一例を示すブロック図である。
【符号の説明】
１００  撮影装置
１０２  地域範囲格納部
１０４  撮影部
１０６  地域表示部
１０８  データ格納部
１１０  撮影場所情報取得部
１１２  地域受付部
１１４  地域内画像数表示部
１１６  区域情報格納部
１１８  区域表示部
１２０  地域内画像出力部
１２２  区域受付部
１２４  区域内画像出力部
２００  撮影装置
２０２  撮影場所情報読出部
２０４  地図読出部
２０６  地図表示部
２０８  地図格納部
２１０  撮影場所指定部
２１２  指定画像出力部
３００  撮影装置
３０６  撮影地域特定部
【図１】
0004246924.tif 000002
【図２】
0004246924.tif 000003
【図３】
0004246924.tif 000004
【図４】
0004246924.tif 000005
【図５】
0004246924.tif 000006
【図６】
0004246924.tif 000007
【図７】
0004246924.tif 000008
【図８】
0004246924.tif 000009